(57)【要約】【課題】片手で貼着及び切断操作をすることが可能であり、かつ剥離後の剥離紙がゴミとして周囲に飛散することのない、テープカッターを提供することを課題とする。【解決手段】テープカッター１は、両面テープ７を装着し、回転可能に支持するとともに、両面テープ７を繰出すテープ繰出部８を有するカッター本体９と、両面テープ７の粘着テープ５を貼着対象物１２に押着しながら貼着させる加圧面１０を有する加圧部１１と、貼着の際に両面テープ７から剥離紙６を剥離し、所定の方向に導出する剥離部３と、剥離紙６の除去された粘着テープ５を切断するテープ切断部４とを主に具備する。剥離部３によって貼着操作と同時に両面テープ７を粘着テープ５と剥離紙６とに分離し、剥離紙６を所定方向に導出することができる。【選択図】図１
2010275103.tif 000002
【特許請求の範囲】
【請求項１】
ロール状に巻装された両面テープを回転可能に支持し、回転に伴って前記両面テープを繰出すテープ繰出部を有するカッター本体と、
前記カッター本体に取設され、繰出された前記両面テープの剥離紙側と当接し、前記両面テープの粘着面を貼着対象物に押着しながら力を加える加圧面を有する加圧部と、
前記加圧部の前記加圧面に近接して設けられ、前記貼着対象物に前記両面テープを押着した状態で前記カッター本体を貼着方向に移動させることにより、繰出された前記両面テープの前記剥離紙を剥離し、分離させる剥離分離部及び剥離した前記剥離紙を所定方向に導出する剥離ガイド部を有する剥離部と、
前記剥離部の前記剥離分離部の近傍に設けられ、前記剥離紙の剥離した前記両面テープの粘着テープを切断するテープ切断部と
を具備することを特徴とするテープカッター。
【請求項２】
前記カッター本体は、
前記テープ繰出部に支持された前記両面テープの少なくとも一部を外部に露出させ、前記カッター本体を把持する少なくとも一つの指部を挿入可能に形成され、前記両面テープの回転による繰出を前記指部によって押さえることによって規制する規制開口部をさらに具備することを特徴とする請求項１に記載のテープカッター。
【請求項３】
請求項１及び請求項２のいずれか一つに記載のテープカッターを使用した両面テープ貼着方法であって、
加圧部の加圧面に両面テープの剥離紙側を当接させた状態で前記両面テープの粘着面を貼着対象物に押着する押着工程と、
前記粘着面を前記貼着対象物に押着させながら、貼着方向と逆方向に前記カッター本体を移動させ、テープ切断部に接着したテープ端を引剥がすテープ端剥がし工程と、
前記カッター本体を前記貼着方向に移動させ、回転によって前記両面テープを繰出しながら前記加圧面で前記粘着面を前記貼着対象物に貼着させるとともに、前記両面テープの前記剥離紙を剥離する貼着剥離工程と、
前記貼着剥離工程によって繰出される前記両面テープの回転を規制する回転規制工程と、
前記両面テープの回転が規制された状態でテープ切断部を利用して前記剥離紙の剥離された前記両面テープの粘着テープを切断する切断工程と
を具備することを特徴とする両面テープ貼着方法。
【発明の詳細な説明】
【技術分野】
【０００１】
本発明は、テープカッター、及び両面テープ貼着方法に関するものであり、特に、貼着対象物に対して両面テープを片手で貼着する貼着操作をすることが可能なテープカッター、及び係るテープカッターを利用した両面テープ貼着方法に関するものである。
【背景技術】
【０００２】
従来から、一方の面に粘着層を備え、これをロール状に巻装してなる各種粘着テープ（ガムテープ、セロファンテープ、及びビニールテープ等）を利用し、物品同士を粘着力を利用して固定等することが行われている。このとき、粘着テープは、周知のテープカッター（またはテープディスペンサー）に回転可能に支持された状態に装着され、テープ端を引き出すことにより、テープカッターに装着されたロール状の粘着テープが徐々に回転し、所定の長さ分だけ繰出されるようになっている。
【０００３】
ここで、一般的なテープカッターは、机上に載置され、粘着テープの繰出を行う際に、テープカッター自体が机上を動くことがないように、コンクリート等の錘を内部に包含した重量物として形成されていることが多い。これにより、片手で所望の長さだけ繰出し、さらにテープ切断部で切断することができるため、使用者の作業性が良好なものとなる。なお、携帯用等の比較的小型のテープカッターの場合は、作業者がテープカッターを一方の手で把持し、これらの動きを規制した状態で、他方の手で粘着テープを引く動作を行う必要がある。
【０００４】
さらに、テープカッター自体を片手で把持し、粘着テープを対象物に貼着可能なハンディタイプのものも知られている。これにより、ガムテープ等の比較的広幅の粘着テープを装着し、粘着層側を対象物に押し当てながら、粘着テープを徐々に繰出し、所望の長さに至った場合にテープ切断部によってカットすることができる。係るテープカッターは、各種商品等を梱包した段ボールの蓋を封止する作業等を繰返す生産工場等の出荷作業に多く利用されている。そのため、これらのテープカッターは、主に業務用として用いられるものが多い。
【０００５】
ここで、粘着テープには、両面に粘着層を有し、一方の粘着層に剥離紙を積重するように配した両面テープが含まれている。これにより、両面テープを挟んで二つの対象物を重合わせるようにして接着することが可能であり、上述した一面に粘着層を有しない通常の粘着テープとは異なる用途において利用されている。このとき、両面テープは、上述と同様の基本構成を有するテープカッターに装着され、所定の長さだけ引き出し、剥離紙とともにテープ切断部でカットすることを行っている。そして、切断された両面テープの粘着層側を貼着対象物の対象面に押付け、さらに剥離紙を剥がす作業を行っていた。その後、剥離紙が剥がされたことによって露出した他方の粘着層にもう一方の貼着対象物の対象面を接着させることにより、両面テープによって二つの対象物を接着することができる。
【発明の概要】
【発明が解決しようとする課題】
【０００６】
しかしながら、上述したテープカッターは、通常の片面にのみ粘着層を有する粘着テープを主に想定するものであり、両面テープの使用を考慮したものではほとんどなかった。そのため、これらの従来型のテープカッターを両面テープに適用することは、下記に掲げる不都合を生じることがあった。すなわち、上述の場合、粘着テープとそれに積重された剥離紙を同時にテープ切断部（例えば、金属製のギザ刃）で切断していた。ここで、粘着テープを何度も切断することによってテープ切断部の刃先が摩耗し、切れが悪くなることがあった。特に、粘着テープよりも比較的硬質の剥離紙を一緒に切断することは、刃先の摩耗を早めることになっていた。
【０００７】
さらに、剥離紙と一緒に貼着対象物に貼着した後は、その上方の剥離紙をそれぞれ取り除く剥離作業が必要であった。そのため、複数箇所に両面テープを貼着する場合、係る作業を煩雑に感じることがあった。また、剥離後の小片状の剥離紙を回収し、ゴミとして捨てる必要があり、剥離作業時に周囲に飛散した係る剥離紙を集める作業を面倒に思うこともあった。そのため、小片状の剥離紙が飛散しないような機能を有するテープカッター及び両面テープ貼着方法を求める声があった。同時に、両面テープの貼着、剥離紙の剥離、及び粘着テープの切断に係る操作を一連の流れで、かつ片手で行うことにより、作業性を良好にするものが期待されていた。
【０００８】
そこで、本発明は、上記実情に鑑み、刃先の摩耗を抑え、粘着テープのみを切断可能とするとともに、剥離紙が周囲に飛散することのないテープカッター、及び両面テープ貼着方法の提供を課題とするものである。
【課題を解決するための手段】
【０００９】
上記の課題を解決するため、本発明のテープカッターは、「ロール状に巻装された両面テープを回転可能に支持し、回転に伴って前記両面テープを繰出すテープ繰出部を有するカッター本体と、前記カッター本体に取設され、繰出された前記両面テープの剥離紙側と当接し、前記両面テープの粘着面を貼着対象物に押着しながら力を加える加圧面を有する加圧部と、前記加圧部の前記加圧面に近接して設けられ、前記貼着対象物に前記両面テープを押着した状態で前記カッター本体を貼着方向に移動させることにより、繰出された前記両面テープの前記剥離紙を剥離し、分離させる剥離分離部及び剥離した前記剥離紙を所定方向に導出する剥離ガイド部を有する剥離部と、前記剥離部の前記剥離分離部の近傍に設けられ、前記剥離紙の剥離した前記両面テープの粘着テープを切断するテープ切断部と」を具備するものから主に構成されている。
【００１０】
ここで、カッター本体とは、基本的な構成として、従来から周知のテープカッターを応用することが可能であり、ロール状に巻装された両面テープの芯部を介して回転可能に支持されるものである。なお、両面テープの芯部の内径に合致する回転部を設け、これを回転可能に軸支するものであっても、或いはカッター本体に両面テープの芯部と略一致する外径を有する支持部を設け、回転可能に装着するものであっても構わない。これにより、両面テープのテープ端を所定方向に引っ張ることにより、両面テープ自体が回転し、繰出され、使用者は所望の長さの両面テープを引き出すことができる。さらに、加圧部とは、両面テープの剥離紙側から粘着面を押着するものであり、周囲に対して突出し、押着の際に両面テープの剥離紙との摩擦を小さくするために、滑らかな曲面によって主に構成されているものである。これにより、貼着方向（若しくはその逆方向）に沿って両面テープを押着する場合、スムーズな動きで貼着対象物（例えば、床等）に両面テープの粘着層を確実に押付けることができる。その結果、貼着対象物に両面テープが貼着される。さらに、剥離部の剥離分離部によって貼着操作の際に、繰出された両面テープは、その剥離紙部分が所定方向に導出されながら剥離される。その結果、貼着対象物には、両面に粘着面が形成された粘着テープのみが貼着されている。そのため、テープ切断部は、係る粘着テープだけを切断することとなる。
【００１１】
したがって、本実施形態のテープカッターによれば、加圧部の加圧面によって両面テープの粘着面を貼着対象物に押着しながら貼着方向にカッター本体を移動させることにより、貼着と同時に両面テープの剥離紙の剥離を剥離部の剥離分離部によって行い、さらに剥離ガイド部によって剥離された剥離紙を所定方向に導出することが可能となる。その結果、剥離紙を含んで両面テープを切断することがなく、粘着テープのみを切断することができる。さらに、剥離部によって剥離された剥離紙は、切断されることがない。そのため、貼着操作毎に剥離紙を剥離する動作を行う必要がなく、かつ従来のように小片に分断された剥離紙を回収する必要がない。
【００１２】
さらに、本発明のテープカッターは、上記構成に加え、「前記カッター本体は、前記テープ繰出部に支持された前記両面テープの少なくとも一部を外部に露出させ、前記カッター本体を把持する少なくとも一つの指部を挿入可能に形成され、前記両面テープの回転による繰出を前記指部によって押さえることによって規制する規制開口部を」を具備するものであっても構わない。
【００１３】
したがって、本発明のテープカッターによれば、規制開口部を有し、係る部位から指部を挿入し、両面テープの回転を規制することができる。すなわち、テープ切断部によって粘着テープを把持する際、両面テープの回転を規制しないと、テープ切断の際に粘着テープに加わる力によって両面テープ自体が回転する可能性がある。そのため、新たな両面テープが繰出され、両面テープの切断ができないことが予想される。そのため、テープカッター（カッター本体）を把持した指部を挿入可能な規制開口部を設けることにより、回転を指部を規制することができる。特に、把持した状態を解除することがないため、片手で係る切断操作を行うことができる。なお、規制開口部の位置は特に限定されないが、上記切断操作及び両面テープの一部を押さえる操作を容易とするために、配した指部（例えば、親指、人差し指、中指等）の把持位置に合わせて設けたものが好適である。
【００１４】
一方、本実施形態の両面テープ貼着方法は、「上記記載のテープカッターを使用した両面テープ貼着方法であって、加圧部の加圧面に両面テープの剥離紙側を当接させた状態で前記両面テープの粘着面を貼着対象物に押着する押着工程と、前記粘着面を前記貼着対象物に押着させながら、貼着方向と逆方向に前記カッター本体を移動させ、テープ切断部に接着したテープ端を引剥がすテープ端剥がし工程と、前記カッター本体を前記貼着方向に移動させ、回転によって前記両面テープを繰出しながら前記加圧面で前記粘着面を前記貼着対象物に貼着させるとともに、前記両面テープの前記剥離紙を剥離する貼着剥離工程と、前記貼着剥離工程によって繰出される前記両面テープの回転を規制する回転規制工程と、前記両面テープの回転が規制された状態でテープ切断部を利用して前記剥離紙の剥離された前記両面テープの粘着テープを切断する切断工程と」を具備するものであっても構わない。
【００１５】
したがって、本発明の両面テープ貼着方法によれば、上記記載のテープカッターを使用することにより、両面テープの粘着テープを貼着対象物に片手で貼着することができる。特に、貼着操作によって両面テープの剥離紙が剥離部によって剥離されるため、直前のテープ切断部には粘着テープのテープ端が接着している。そのため、貼着対象物に粘着面を押着した状態で、貼着方向と逆方向に僅かにカッター本体を移動させることにより、係るテープ端とテープ切断部との接着が解除され、その後、通常の貼着方向に引戻すことにより、貼着操作を容易に完了することが可能となる。これにより、上記記載のテープカッターの奏する作用効果を生じさせ、貼着操作を簡易に行うことが可能となる。
【発明の効果】
【００１６】
本発明の効果によれば、両面テープを貼着対象物に押着し、さらに貼着する貼着操作と同時に剥離紙を剥離させることができる。これにより、剥離紙が分断されることがなく、長いままの状態でテープカッターから排出されることになる。さらに、従来のように剥離紙の剥離作業を事後的に行う必要がなく、煩雑な作業から作業者を解放することができるとともに、小片状の剥離紙が周囲に飛散することがない。特に、係る一連の操作を片手で行うことができる。加えて、粘着テープのみを切断することにより、テープ切断部の刃先の摩耗を抑えることができる。
【図面の簡単な説明】
【００１７】
【図１】本実施形態のテープカッターの構成を示す正面図である。
【図２】テープカッターの加圧部、剥離部、及びテープ切断部の構成を示す拡大正面図である。
【図３】テープカッターの加圧部、剥離部、及びテープ切断部の構成を示す拡大断面図である。
【図４】テープカッターによる両面テープ貼着方法の一例を示す説明図である。
【発明を実施するための形態】
【００１８】
以下、本発明の一実施形態であるテープカッター１及び両面テープ貼着方法について、図１乃至図４に基づいて説明する。ここで、図１は本実施形態のテープカッター１の構成を示す正面図であり、図２はテープカッター１の加圧部１１、剥離部３、及びテープ切断部４の構成を示す拡大正面図であり、図３はテープカッター１の加圧部１１、剥離部３、及びテープ切断部４の構成を示す拡大断面図であり、図４はテープカッター１による両面テープ貼着方法の一例を示す説明図である。本実施形態のテープカッター１は、両面に粘着層の形成された粘着テープ５の一方の面に剥離紙６が積重され、これをロール状に巻装してなる両面テープ７を貼着するものについて説明する。
【００１９】
具体的に説明すると、本実施形態のテープカッター１は、図１乃至図３に主として示すように、両面テープ７が装着され、回転可能に支持されるとともに、テープ端５ａを引き出すことにより、ロール状の両面テープ７を徐々に繰出すことの可能なテープ繰出部８を有するカッター本体９と、両面テープ７の両面に粘着層が形成された粘着テープ５の一方の粘着層（図１における紙面下側）の面を貼着対象物１２に対して押着しながら貼着させる加圧面１０を有する加圧部１１と、貼着の際に両面テープ７から剥離紙６を剥離し、所定方向に導出する剥離部３と、剥離紙６の除去された粘着テープ５をカットするテープ切断部４とを具備して主に構成されている。
【００２０】
ここで、カッター本体９及び加圧部１１は、プラスチック樹脂によって構成されている。さらに、具体的な構成について説明すると、テープ繰出部８は、巻装された両面テープ７の紙製の芯部１４と外接する枠径を有する円形状のテープ支持枠１５を有し、係る部位に両面テープ７が装着される。ここで、装着の方法は、一般的なテープカッターと同様に、カッター本体９及び加圧部１１が、縦方向（図１における紙面上下方向）に沿って分離可能に形成され、分離した間に両面テープ７を挿入し、その両側から両面テープ７を挟込むようにしてカッター本体９及び加圧部１１を構成する。このとき、両面テープ７の芯部１４の中にテープ支持枠１５が位置するように調整する。これにより、両面テープ７は当該テープ支持枠１５に支持されるとともに、テープ支持枠１５に沿って自由に回転することができる。カッター本体９の構成は、従来のテープカッターに使用されている態様とほとんど同一であるため、それ以外の構成については省略する。さらに、両面テープ７を回転可能に支持する機能を有すれば、両面テープ７の装着方法や外観構成について特に限定されるものではない。
【００２１】
さらに、カッター本体９には、上述の円形状のテープ支持枠１５が略中央部に刳り抜くように形成され、全体として略六角形状に類似した一対の外板部１６によって主に構成されている。そして、係る外板部１６の一辺（図１における左側斜辺）から下方に向かって加圧部１１が突出するようにして形成されている。さらに、外板部１６の上辺（図１参照）から、テープ支持枠１５の方向に切欠きが施され、規制開口部１７として形成されている。ここで、規制開口部１７を備えることにより、カッター本体９のテープ支持枠１５に回転可能に支持された両面テープ７の一部が外部から視認可能となっている。
【００２２】
ここで、加圧部１１の先端は、曲面形状を有するように加圧面１０が形成され、カッター本体９に支持され、その一部が繰出された両面テープ７の剥離紙６側と加圧面１０とが当接するように配されている。すなわち、本実施形態のテープカッター１は、加圧部１１の加圧面１０は、従来のテープカッターの場合、粘着テープを所望の長さにカットするためのテープ切断部が一般的に配されている箇所であり、係る点において本実施形態のテープカッター１は相違している。これにより、係る特徴によって、両面テープ７の粘着テープ５の粘着層を貼着対象物１２に対して強く押着することができ、粘着力によって貼着対象物１２と強固に接着することとなる。
【００２３】
さらに、本実施形態のテープカッター１は、上記加圧部１１の加圧面１０の近傍に設けられ、加圧面１０によって貼着対象物１２に粘着テープ５が貼着された両面テープ７から、貼着操作に伴って加圧面１０から前方に送出される両面テープ７から剥離紙６のみを分離する剥離分離部１８及び剥離した剥離紙６をカッター本体９から、加圧部１１の加圧部側壁１９に沿って所定方向（ここでは、図２等における紙面上方向に相当）に導出させる剥離ガイド部２０を有する剥離部３が設けられている。なお、剥離部３は、加圧部側壁１９に取設され、剥離紙６の導出方向を決定する扁平の四角枠形状（四角管状）を呈している。ここで、剥離部３の枠厚は、剥離紙６の数枚分の厚みしか有してない。そのため、係る四角枠形状が剥離ガイド部２０として機能し、導出方向を図１等における上方に規制することができる。加圧面１０によって押着された両面テープ７の粘着テープ５は、粘着層の粘着力によって貼着対象物１２に接着し、一方、その上方に積重された剥離紙６は、テープ繰出部８から新たな両面テープ７が順次加圧面１０に向かって押出されることによって、当該加圧面１０を超えると粘着テープ５から剥がれようとする作用が発生する。そこで、剥離動作をさらに促進するために、剥離紙６及び粘着テープ５が分離するように、剥離部３の枠形状の一部に当該剥離紙６を接触させ、剥離紙６の剥離方向を変化させる（剥離分離部１８）。これにより、粘着テープ５と剥離紙６との剥離が促進される。その結果、貼着操作によって、剥離紙６のみを粘着テープ５から剥がすことができる。
【００２４】
加えて、本実施形態のテープカッター１は、その他の構成として、剥離部３の近傍に接続するように設けられたテープ切断部４を具備している。ここで、テープ切断部４は、その刃先２２の方向が、加圧部１１を挟んでカッター本体９の逆方向に突出して設けられ、さらに換言すると、両面テープ７を貼着する貼着方向（図１において紙面右方向に相当）に対し、相対する方向に突出している。そのため、当該テープ接続部４で粘着テープ５を切断する場合には、テープ接続部４または加圧面１０の軸として、テープカッター１を斜めに傾け、貼着対象物１２に貼着された粘着テープ５に刃先２２が接するような動作を行う必要がある。
【００２５】
次に、本実施形態のテープカッター１を使用した両面テープ貼着方法について、主に図４に基づいて説明する。ここで、図４の（ａ）から（ｅ）が本実施形態の両面テープ貼着方法の流れを模式的に示す説明図である。そのため、加圧部１１及び剥離部３等の主要構成について主に図示し、それ以外の構成については適宜省略している。
【００２６】
始めに、テープカッター１は、初期状態として、両面テープ７の粘着テープ５のテープ端５ａが、前回の切断操作によってテープ切断部４の刃先２２に接着した状態で、さらに、粘着テープ５から剥離した剥離紙６は剥離部３の剥離ガイド部２０を介して上方に導出されている（図４（ａ）参照）。ここで、剥離部３の近傍で互いに分離した粘着テープ５及び剥離紙６は、加圧部１１の加圧面１０で積重し、剥離前の状態となっている。さらに、当該加圧面１０からテープ支持枠部１５に回転可能に支持されたロール状の両面テープ７と連結している。ここで、加圧面１０に対し、剥離紙６側が当接するようにテープ支持枠１５に両面テープ７の繰出方向が調整されている。また、テープ切断部４の間で両面テープ７がたるんでいる場合には、規制開口部１７に指部を挿入し、両面テープ７を操出方向と逆に回転させることにより、係るたるみを解消することができる。
【００２７】
上記の初期状態で、使用者はテープカッター１のカッター本体９の部分を片手で把持し、貼着対象物１２に対し、加圧部１１の加圧面１０を貼着対象物１２に対して押着する。このとき、加圧面１０は両面テープ７の剥離紙６側と当接しており、両面テープ７の粘着テープ５の粘着層が露出している。そのため、上記押着操作によって貼着対象物１２に粘着テープ５が接着する（図４（ａ）参照）。その後、貼着方向と逆方向（図４における紙面左方向に相当）に把持したテープカッター１を僅かに移動させる（図４（ｂ）参照）。これにより、初期状態においてテープ切断部５の刃先２２に接着していた粘着テープ５のテープ端５ａが外れ、接着状態が解除される。その後、テープカッター１を貼着方向（図４における紙面右方向に相当）に移動させる。このとき、加圧部１１の加圧面１０によって両面テープ７の粘着層を貼着対象物１２に押着した状態を保持するように移動させる（図４（ｃ）参照）。これにより、カッター本体９に回転可能に支持されたロール状の両面テープ７から、当該移動に基づいて両面テープ７が回転しながら繰出され、加圧面１０に向かって引出される。その結果、上記操作（貼着操作）により、貼着対象物１２は、テープカッター１の移動に応じた長さの両面テープ７が貼着されることになる。このとき、先に示したように、加圧部１１の加圧面１０を通過した両面テープ７は、粘着テープ５はそのまま貼着対象物１２に接着され、一方、剥離紙６は剥離部３によって粘着テープ５と分離し、剥離ガイド部２０によって加圧部側壁１９に沿って上方に導かれる（図２、図３等参照）。
【００２８】
そして、所定の長さになるまで粘着テープ５が貼着された後、加圧面１０の近傍に設けられたテープ切断部４の刃先２２が粘着テープ５に当たるように、テープカッター１を傾ける（図４（ｄ）参照）。このとき、カッター本体９を切欠くようにして設けられた規制開口部１７に把持している親指または人差し指等を挿入し、ロール状の両面テープ７の一部に押当て、テープ支持枠１５に沿って両面テープ７が回転しないように指で押さえ付ける（図示しない）。これにより、新たに両面テープ７がテープ繰出部８によって繰出されることがない。そのため、切断の為に、粘着テープ５に刃先２２を当てながら捻るようにして行う切断動作を確実に行うことができる（図４（ｅ）参照）。
【００２９】
上記操作によって、本実施形態のテープカッター１を使用した両面テープ７の貼着及び切断が完了する。このとき、貼着対象物１２には、係る一連の操作によって粘着テープ５のみが貼着されている。すなわち、剥離紙６は、テープカッター１に残存した状態となる。これにより、従来のテープカッターのように、両面テープの貼着後に、剥離紙のみを除去する作業を行う必要がない。その結果、剥離作業を省略し、かつ剥離した剥離紙６がゴミとして周囲に飛散するような問題を生じることがない。さらに、テープ切断部４は粘着テープ５のみを切断するため、比較的硬質の剥離紙６を一緒に切断する必要がなく、刃先２２等の摩耗を防ぐことができる。なお、剥離部３から導出された剥離後の剥離紙６は、適当な長さになった段階で手で千切ったり、或いはその他の切断手段を利用して適宜カットすればよい。
【００３０】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３１】
すなわち、本実施形態のテープカッター１において、略六角形状を呈するカッター本体９を一例として示したが、これに限定されるものではなく、テープカッターの外観構成は従来のテープカッターと基本的構成を同じくしたものであっても構わない。さらに、規制開口部１７として、カッター本体９の一箇所に設けたものを示したがこれに限定されるものではなく、カッター本体９を把持する指の位置に応じて適宜位置の変更及びその数を変更するものであっても構わない。さらに、テープカッター１を構成するカッター本体９としてプラスチック樹脂を成形加工してなるものを示したがこれに限定するものではなく、テープカッター１を構成する材質は金属等の種々の素材を用いてもよい。
【符号の説明】
【００３２】
１  テープカッター
３  剥離部
４  テープ切断部
５  粘着テープ
５ａ  テープ端
６  剥離紙
７  両面テープ
８  テープ繰出部
９  カッター本体
１０  加圧面
１１  加圧部
１２  貼着対象物
１４  芯部
１５  テープ支持枠
１６  外板
１７  規制開口部
１８  剥離分離部
１９  加圧部側壁
２０  剥離ガイド部
２２  刃先
【図１】
2010275103.tif 000003
【図２】
2010275103.tif 000004
【図３】
2010275103.tif 000005
【図４】
2010275103.tif 000006